(57)【要約】 【課題】  本発明は、使用中の刃縁の撓みを効果的に防止し、刃体の先端においても刃縁を撓みにくくするメスなどの医療用刃物の替刃を提供することを目的とする。【解決手段】  刃体の刃板部表面よりも膨出する膨出部を有する縁部が前記刃板部の縁に沿って延在し、その縁部に刃縁が形成され、膨出部は少なくとも一方の縁部の表面に形成されている。さらに、縁部の表面は膨出部の最大膨出位置から刃縁方向に行くに従って縁部の厚みが徐々に薄くなるように縁部傾斜面が形成されていてもよい。【選択図】  図１
2005176881.tif 000002
【特許請求の範囲】
【請求項１】
刃体の刃板部表面よりも膨出する膨出部を有する縁部が前記刃板部の縁に沿って延在し、その縁部に刃縁が形成され、前記膨出部は少なくとも一方の縁部の表面に形成されていることを特徴とする医療用刃物の替刃
【請求項２】
縁部の表面は膨出部の最大膨出部から刃縁方向に行くに従って縁部の厚みが徐々に薄くなるように縁部傾斜面が形成されている請求項１記載の替刃
【請求項３】
膨出部を有する縁部の表面に、刃縁と隣接する所定幅の刃縁傾斜面が刃縁に沿って延在し、刃縁傾斜面が刃板部表面となす傾斜角度は、縁部傾斜面が刃板部表面となす傾斜角度よりも大きい特許請求の範囲２記載の替刃
【請求項４】
刃板部と縁部との境から刃縁までの距離、すなわち縁部の幅は１．８ｍｍ〜２．６ｍｍの範囲である請求項１乃至請求項３記載の替刃
【請求項５】
膨出部は縁部の両側に対称的に存在する請求項１乃至請求項４記載の替刃
【請求項６】
縁部両側の刃縁傾斜面同士がなす角度が２４度〜４０度の範囲であって、両縁部傾斜面同士のなす角度が１０度〜２３度の範囲である請求項５記載の替刃
【請求項７】
両膨出部の最大膨出部の間の距離は０．５ｍｍ〜１．０ｍｍの範囲である請求項５又は請求項６記載の替刃
【請求項８】
膨出部の表面は刃体部表面と平行な面をなすように形成され、且つ刃縁に隣接して所定幅の刃縁傾斜面が刃縁に沿って延在している請求項１記載の医療用刃物の替刃
【請求項９】
刃体の先端部は尖鋭に形成され、刃縁は刃体最先端まで延在し、膨出部は刃体の背縁に達するように延在している請求項１乃至請求項８記載の替刃
【発明の詳細な説明】
【技術分野】
【０００１】
本発明は主に医師などが使用する医療用刃物の替刃に関する。
【背景技術】
【０００２】
従来の医療用刃物であるメスの替刃はその補強のために替刃の背縁部に沿って補強体を取付けている（例えば、特許文献１参照。）。また、多数条の並列した断面波形のリブを、替刃の長さ方向とほぼ直角方向に延びるように多数連続して設けたものもある（例えば、特許文献２参照。）。
【特許文献１】特開２０００−２４５７４２号公報
【特許文献２】実公昭５３−５３３５０号公報
【発明の開示】
【発明が解決しようとする課題】
【０００３】
医療用刃物の一種であるメスの替刃は工業的に安価に大量生産されるために刃体の厚みは薄く、腱や表皮などの硬い贓物あるいは軟骨などを切断するときに撓む虞がある。撓みを防止するためには刃体の厚みを厚くすればよいが、メスの替刃のサイズ等については国際規格が存在し、刃体の厚みを規格よりも厚くすれば国際市場で受け入れられない。そこで、替刃の少なくともホルダーと嵌合する部分は規格の寸法にする必要がある。
【０００４】
刃体の撓みを防止するために前記特許文献１では刃体の背縁部に沿って補強体を装着する技術が示されている。しかし、補強体を背縁部に装着すると、補強体と刃縁が距離的に離れるので刃縁が撓む虞がある。また、補強体が背にある場合、使用者とメスとの位置関係によって刃縁を目視しずらい場合が存在する。
【０００５】
特許文献２では多数条の並列した断面波形のリブを、替刃の長さ方向とほぼ直角方向に延びるように多数連続して設けてある。このような構成であると、リブの作用によって、刃体は延在するリブの途中を曲げるような変形に対しては剛性が大きいが、刃体の先端を側方から押圧する力に対してリブの効果はなく、特に刃体の先端で刃縁が撓む虞がある。
【０００６】
そこで本発明は使用中の刃縁の撓みを効果的に防止し、刃体の先端においても刃縁を撓みにくくするメスなどの医療用刃物の替刃を提供することを目的とする。
【課題を解決するための手段】
【０００７】
本発明の請求項１は、刃体の刃板部表面よりも膨出する膨出部を有する縁部が前記刃板部の縁に沿って延在し、その縁部に刃縁が形成され、前記膨出部は少なくとも一方の縁部の表面に形成されている構成である。請求項２は、縁部の表面は膨出部の最大膨出部から刃縁方向に行くに従って縁部の厚みが徐々に薄くなるように縁部傾斜面が形成されている要素が請求項１に限定的に付加された構成である。
【０００８】
請求項３は、膨出部を有する縁部の表面側において、刃縁に隣接して所定幅の刃縁傾斜面が刃縁に沿って延在し、刃縁傾斜面が刃板部表面となす傾斜角度は縁部傾斜面が刃板部表面となす傾斜角度よりも大きいという要素が請求項２に限定的に付加された構成である。
【０００９】
請求項４は、刃板部と縁部との境から刃縁までの距離、すなわち縁部の幅が１．８ｍｍ〜２．６ｍｍの範囲である要素が請求項１乃至請求項３に限定的に付加された構成であり、請求項５は、膨出部が縁部の両側に対称的に存在する要素が請求項１乃至請求項４に限定的に付加された構成である。
【００１０】
請求項６は、縁部両側の刃縁傾斜面同士がなす角度が２４度〜４０度の範囲であって、両縁部傾斜面同士のなす角度が１０度〜２３度の範囲である要素が請求項５に限定的に付加された構成であり、請求項７は、両膨出部の最大膨出部の間の距離が０．５ｍｍ〜１．０ｍｍの範囲である要素が請求項５又は請求項６に限定的に付加された構成である。
【００１１】
請求項８は、膨出部の表面は刃体部表面と平行な面をなすように形成され、且つ刃縁に隣接して所定幅の刃縁傾斜面が刃縁に沿って延在している要素が請求項１に限定的に付加された構成である。。
【００１２】
請求項９は、刃体の先端部は尖鋭に形成され、刃縁は刃体最先端まで延在し、膨出部は刃体の背縁に達するように延在している要素が請求項１乃至請求項８に限定的に付加された構成である。
【発明の効果】
【００１３】
本発明の請求項１は、刃体の刃板部表面よりも膨出する膨出部を有する縁部が前記刃板部の縁に沿って延在し、その縁部に刃縁が形成され、膨出部は少なくとも一方の縁部の表面に形成されている。したがって、膨出部を有する縁部が刃体部の縁に沿って延在しているから、刃体が全体的に補強されて撓みにくくすることができる。また、刃縁がその至近にある膨出部により補強されるから刃縁付近を部分的に撓みにくくすることができる。さらに、使用中に使用者と替刃との位置関係がどのように変化しても刃縁を確実に目視することができる。請求項２は、縁部の表面は膨出部の最大膨出部から刃縁方向に行くに従って縁部の厚みが徐々に薄くなるように縁部傾斜面が形成されている。したがって、肉を切断するときに肉は縁部傾斜面によって徐々に押し広げられるので、切断作業を円滑に行うことができる。
【００１４】
請求項３は、膨出部を有する縁部の表面側において、刃縁に隣接して所定幅の刃縁傾斜面が刃縁に沿って延在し、刃縁傾斜面が刃板部表面となす傾斜角度は縁部傾斜面が刃板部表面となす傾斜角度よりも大きくなるように形成されている。請求項２では、この請求項３の限定的な要素を有しない刃縁傾斜面のない構造の替刃が含まれるが、そのような構造のときは縁部の両側表面の傾斜角度が刃縁の角度となる。そうすると刃縁角度はかなり小さくなり刃縁付近では刃体が非常に薄くなる場合があるので、硬い贓物や軟骨を切断するときに刃縁がめくれるように曲がってしまう虞がある。この請求項３のように刃縁傾斜面の角度を縁部傾斜面の傾斜角度よりも大きくしたときは、刃縁付近で刃体の厚みが非常に薄くならないので硬い贓物や軟骨により刃縁がめくれるように曲がることを防止できる。
【００１５】
請求項４は、刃板部と縁部との境から刃縁までの距離、すなわち縁部の幅が１．８ｍｍ〜２．６ｍｍの範囲である。膨出部を有する縁部の幅がこの範囲であれば刃体を効果的に補強できる。請求項５は、膨出部が縁部の両側に対称的に存在するので膨出部の膨出度を抑えることができる。
【００１６】
請求項６は、縁部両側の刃縁傾斜面同士がなす角度が２４度〜４０度の範囲であって、縁部傾斜面同士のなす角度が１０度〜２３度の範囲である。これにより、刃縁がめくれるように曲がることを防止でき、肉を円滑に切断することができる。請求項７は、両膨出部の最大膨出部の間の距離が０．５ｍｍ〜１．０ｍｍの範囲である。この範囲であれば刃体を十分に補強することができ、使用中に膨出部が邪魔になることもない。
【００１７】
請求項８は、縁部の膨出した表面は刃体部表面と平行である構成である。すなわち縁部は肉厚に形成され、しかもその厚みが一定である。したがって、刃体は縁部によって強力に補強されるから、硬い贓物や軟骨などを主に切断するときに刃体の変形を効果的に防止できる。
【００１８】
請求項９は、刃体の先端部は尖鋭に形成され、刃縁は刃体最先端まで延在し、膨出部は刃体の背縁に達するように延在している。これは主にメスの替刃に使用される構成であって替刃の先端は尖鋭な三角形をなしている。したがって、その先端部分は変形し易いのであるが、膨出部が尖鋭な三角形の一部をなすように刃体の背縁まで達しているから、この膨出部によって替刃先端部分を撓みにくくするという効果を奏する。
【発明を実施するための最良の形態】
【００１９】
次に実施するための最良の形態について説明する。替刃は図１に示すようにメスの替刃である。刃体１はステンレスで一体に形成されており、刃板部２とその縁に形成された縁部３及び孔部４とで構成されている。孔部４は替刃１をメスのハンドルに係合して結合するためのものである。なお、材料はステンレスに限定されないことは勿論であって他の材料、例えば炭素鋼、アモルファス、チタン、セラミックスあるいはガラス繊維も用いることが可能である。
【００２０】
刃板部２は薄い板状に形成され厚みはほぼ０．３８ｍｍであるがこの数値に限定されるものでない。刃体部２の縁には縁部３が一体に延在し、この縁部３の両側面には刃板部２の表面よりも側方に膨出する膨出部５，５が一体に形成されている。本発明の膨出部５，５はプレス加工により刃体１を曲げて形成するのではなく、充実したものである。膨出部は必要に応じて不連続であってもよい。図２に示す両膨出部の最大膨出部６，６の間の距離ｔは０．７ｍｍであるが、このほか０．５ｍｍ〜１．０ｍｍの範囲の数値を用いる。ただし、この数値に限定されないことは勿論である。また、最大膨出部６，６は図１に示すように稜線が表われるように角張っていてもよく、あるいは稜線が表われないように丸みを帯びていてもよい。同様に刃板部２と縁部３の境７も図１に示すように線が表われるように明確な角をもって膨出部５が立ち上がっていてもよく、あるいは線が表われないように丸みを帯びていてもよい。刃体部と縁部の境７から刃縁８までの鉛直方向の距離は２．０ｍｍであるが、このほか１．８ｍｍ〜２．６ｍｍの範囲の数値を用いる。ただし、この数値に限定されないことは勿論である。
【００２１】
図２に示すように縁部３の両側に、縁部３が刃縁８方向に行くに従ってその厚みが薄くなるように縁部傾斜面９，９が形成されている。さらにその縁部傾斜面９，９と刃縁８の間に刃縁傾斜面１０，１０が形成されている。両刃縁傾斜面１０，１０のなす角度ａはほぼ３０度であるがこの数値に限定されることはなく２４度〜４０度の範囲であればよい。また、両縁部傾斜面９，９のなす角度ｂはほぼ１６度であるがこの数値に限定されることはなく１０度〜２３度の範囲であればよい。刃縁傾斜面１０と縁部傾斜面９との境における刃体の厚みはほぼ０．２ｍｍであるがこの数値に限定されないことは勿論である。
【００２２】
図１に示すように刃体の先端は尖鋭な三角形状をなしており、刃縁８は刃体最先端まで延在している。また、膨出部５は刃体の背縁１１まで達している。このような構成により刃体１がその先端部まで補強されていることが理解できる。
【００２３】
図５は請求項７を実施した場合の刃体の断面を示すものである。刃体部２の縁に縁部３が延在し、縁部３に膨出部５，５が形成されている。膨出部の表面１２，１２は刃体部２の表面と平行な面となるように形成され、刃縁８に隣接して所定幅の刃縁傾斜面９，９が延在している。
【実施例１】
【００２４】
図６は本発明の他の実施例を示すものである。この実施例は縁部３の片側だけに膨出部５が形成されている。したがって、縁部３の他方の表面１３と刃板部２の表面は面一となる。この実施例でも縁部傾斜面９及び刃縁傾斜面１０が形成されており、刃縁傾斜面１０と縁部の他方の表面１３とのなす角度はほぼ３０度である。しかし、この数値に限定されないことは勿論であって、他の部分の数値も含めて前述した実施の形態と同じ数値が適用される。この実施例のように膨出部を片側のみに形成したときは、他方の側から刃縁を見るようにして使用すれば膨出部が全く邪魔にならないという効果を奏する。なお、医療用刃物の替刃としてメスについて説明したが、その他の医療用刃物であるミクロト−ム、トリミングナイフあるいはデルマトームなどの替刃について本発明を適用することができる。
【図面の簡単な説明】
【００２５】
【図１】本発明の正面図
【図２】刃体の縁部付近の拡大断面図
【図３】図１のＡ−Ａ断面図
【図４】図１と形状が異なる本発明の正面図
【図５】本発明の他の刃体の縁部付近の拡大断面図
【図６】他の実施例における刃体の縁部付近の拡大断面図
【符号の説明】
【００２６】
１  刃体
２  刃板部
３  縁部
４  孔部
５  膨出部
６  最大膨出部
７  境
８  刃縁
９  縁部傾斜面
１０  刃縁傾斜面
１１  刃体の背縁
１２  膨出部の表面
１３  他方の表面
【図１】
2005176881.tif 000003
【図２】
2005176881.tif 000004
【図３】
2005176881.tif 000005
【図４】
2005176881.tif 000006
【図５】
2005176881.tif 000007
【図６】
2005176881.tif 000008